(57)【要約】      （修正有）【課題】プレハブ環境を過冷却が生じるように整えることが可能なプレハブに使用する電場形成パネル及びこの電場形成パネルを取り付けたプレハブを提供する。【解決手段】プレハブに使用する電場形成パネル１は、柔軟性を有し、メッシュ状の平面電極３と、平面電極３の一方側を覆う第一パネル材７、及び平面電極の他方側を覆う第二パネル材９を有するパネル本体２と、第一パネル材７と平面電極３との間に配置される絶縁材５を備える。電場形成パネルは、平面電極３に周波数４８Ｈｚから６２Ｈｚの正弦波形で１ｋＶから５ｋＶの電圧が印加されることで、平面電極３の絶縁材５が配置されていない側の表面から３ｍ以内に０．３ｋＶ／ｍから１５ｋＶ／ｍの電界強度を有する電場空間を形成し、電場空間の環境を氷結点以下の温度で水が非凍結状態となる過冷却が起こる状態に整える。【選択図】図２
0003218535.tif 000002
【実用新案登録請求の範囲】
【請求項１】
柔軟性を有し、メッシュ状に形成された電極と、
この電極の一方側を覆う第一表層材、及び前記電極の他方側を覆う第二表層材を有するパネル本体と、
前記第一表層材と前記電極との間、前記第二表層材と前記電極との間のいずれか一方に配置される絶縁材と、を備え、
前記電極に、周波数４８Ｈｚから６２Ｈｚの正弦波形で１ｋＶから５ｋＶの電圧が印加されることで、前記電極の前記絶縁材が配置されていない側の表面から３ｍ以内に０．３ｋＶ／ｍから１５ｋＶ／ｍの電界強度を有する電場空間を形成し、
前記電場空間の環境を、氷結点以下の温度で水が非凍結状態となる過冷却が起こる状態に整える、
ことを特徴とするプレハブに使用する電場形成パネル。
【請求項２】
ステンレスネットからなり、柔軟性を有する３０メッシュから５０メッシュのメッシュ状に形成された矩形状の平面電極と、
水滴、結露に対して反応しない難燃性テント生地からなり、前記平板電極の一方側を覆うとともに、熱圧着処理により積層し、電場形成方向に厚みを備える表層材を備えるパネル本体と、
柔軟性を有する高密度ポリウレタンからなり、前記表層材と前記電極との間であって前記電場形成方向と逆側に配置される絶縁材とを備え、
前記パネル本体の絶縁材が配置された側の前記表層材の面が、プレハブの貯蔵室の壁面側となるように、絶縁性のリベットによって、着脱可能に取り付けられ、
前記平面電極に周波数４８Ｈｚから６２Ｈｚの正弦波形で、１ｋＶから５ｋＶの電圧が印加されることで、前記電極の前記絶縁材が配置されていない側の表面から３ｍ以内に０．３ｋＶ／ｍから１５ｋＶ／ｍの電界強度を有する電場空間を形成し、
前記貯蔵室の内部環境を、氷結点以下の温度で水が非凍結状態となる過冷却が起こる状
態に整える、
ことを特徴とするプレハブに使用する電場形成パネル。
【請求項３】
貯蔵室を備えるプレハブにおいて、
請求項１および請求項２に記載のプレハブに使用する電場形成パネルが、
前記貯蔵室の内壁に設けられている、
ことを特徴とするプレハブ。
【考案の詳細な説明】
【技術分野】
【０００１】
本考案は、プレハブの内部空間を過冷却が生じる状態に調整することが可能なプレハブに使用する電場形成パネル、及びこのプレハブに使用する電場形成パネルを設けたプレハブに関するものである。
【背景技術】
【０００２】
従来から、静電場に基づく水分子の振動を利用して過冷却現象を引き起こし、氷結点以下の環境で食品に含まれる水分等を非凍結状態に保持し、食品等の鮮度劣化、腐敗防止等を図る冷蔵庫や静電場処理装置が提案されている（例えば、特許文献１から４）。
【０００３】
これらの文献には、冷蔵庫等に独立した区画を設け、この区画に過冷却現象を引き起こ
すための電場形成手段を内蔵させた構成や、冷蔵庫等を改造することによって電場形成手
段を設けた構成等により、過冷却を起こす冷蔵庫等に係る技術が開示されている。
【先行技術文献】
【特許文献】
【０００４】
【特許文献１】特開２００１−８６９６７号公報
【特許文献２】特開２０００−２９７９７６号公報
【特許文献３】特開２００５−１５６０４２号公報
【特許文献４】特開２００８−２１５７１６号公報
【考案の概要】
【考案が解決しようとする課題】
【０００５】
しかし、上記特許文献１から４に提案されているように、冷蔵庫に過冷却現象を生じさせるために、電場形成手段を改造して取り付けることは、手間とコストがかかるという問題がある。
また、上記特許文献１から４に提案されている発明では、電極に身体（例えば、手や腕）が接触した際に電撃が生じるおそれがある。これを避けるための手段を別に講じる必要がある。
【０００６】
そこで、本考案は、プレハブの環境を過冷却が生じるように整えることが可能なかつ取り付けが簡便なプレハブに使用する電場形成パネル及びプレハブを提供することを目的とする。
【課題を解決するための手段】
【０００７】
本考案に係るプレハブに使用する電場形成パネルは、柔軟性を有し、メッシュ状に形成された電極と、この電極の一方側を覆う第一表層材、及び電極の他方側を覆う第二表層材を有するパネル本体と、第一表層材と電極との間、第二表層材と電極との間のいずれか一方に配置される絶縁材とを備え、電極に周波数４８Ｈｚから６２Ｈｚの正弦波形で１ｋＶから５ｋＶの電圧が印加されることで、電極の前記絶縁材が配置されていない側の表面から３ｍ以内に０．３ｋＶ／ｍから１５ｋＶ／ｍの電界強度を有する電場空間を形成し、電場空間の環境を氷結点以下の温度で水が非凍結状態となる過冷却が起こる状態に整えることを特徴とする。
【０００８】
本考案に係るプレハブに使用する電場形成用パネルは、ステンレスネットからなり、柔軟性を有する３０メッシュから５０メッシュのメッシュ状に形成された矩形状の平面電極と、水滴、結露に対して反応しない難燃性テント生地からなり、平板電極の一方側を覆うとともに、熱圧着処理により積層し、電場形成方向に厚みを備える表層材を備えるパネル本体と、柔軟性を有する高密度ポリウレタンからなり、表層材と電極との間であって電場形成方向と逆側に配置される絶縁材とを備え、パネル本体の絶縁材が配置された側の表層材の面が、プレハブの貯蔵室の壁面側となるように、絶縁性のリベットによって、着脱可能に取り付けられ、平面電極に周波数４８Ｈｚから６２Ｈｚの正弦波形で、１ｋＶから５ｋＶの電圧が印加されることで、電極の絶縁材が配置されていない側の表面から３ｍ以内に０．３ｋＶ／ｍから１５ｋＶ／ｍの電界強度を有する電場空間を形成し、貯蔵室の内部環境を氷結点以下の温度で水が非凍結状態となる過冷却が起こる状態に整えることを特徴とする。
なお、本考案におけるプレハブは、１６５ｍ２（５０坪）以下の広さを有するプレハブを意味する。
【０００９】
本考案に係るプレハブは、貯蔵室を備え、上記のプレハブに使用する電場形成パネルが、貯蔵室の内壁に設けられていることを特徴とする。
なお、本考案におけるプレハブは、１６５ｍ２（５０坪）以下の広さを有するプレハブ（冷蔵用プレハブ）を意味する。
【考案の効果】
【００１０】
本考案に係るプレハブに使用する電場形成パネルは、平面電極に電圧を印加することで、電極の絶縁材が配置されていない側の表面から３ｍ以内に形成される電場空間の電界強度が０．３ｋＶ／ｍから１５ｋＶ／ｍに調整される。その電場空間は、一般的なコンテナの冷蔵環境である−５℃から０℃において、水が非凍結状態となる過冷却が生じる状態に調整される。そうすると、水が非凍結状態となる過冷却が生じる状態に調整され、貯蔵室に貯蔵されている肉・魚、野菜、果物、飲料物等の食品の鮮度が劣化することや腐敗することを防止できる。
【００１１】
また、本考案に係るプレハブに使用する電場形成パネルに使用する電場形成パネルは、柔軟性を有するため、電場形成パネルを取り付けづらい箇所でも、所望の位置に容易に取り付けることができる。
【図面の簡単な説明】
【００１２】
【図１】本考案に係るプレハブに使用する電場形成パネルの正面図である。
【図２】本考案に係るプレハブに使用する電場形成パネルの断面図である。（図１のＡ−Ａ断面図）
【図３】本考案に係るプレハブの斜視図である。
【図４】本考案に係るプレハブの上部断面図である。
【考案を実施するための形態】
【００１３】
本実施形態に係るプレハブに使用する電場形成パネル、及びこのプレハブに使用する電場形成パネルが設けられたプレハブを、図１から図４を参照し、説明する。
【００１４】
本実施形態に係るプレハブ１０に使用する電場形成パネル１（以下、電場形成パネル１と記す。）は、図１及び図２に示すように、矩形状のパネル本体２と、このパネル本体２の内部に設けられた平面電極３と、平面電極３の一方側を覆う表層材としての保護シート４と、平面電極３とパネル本体２との間に設けられた絶縁材５とを備えている。
【００１５】
［パネル本体２］
パネル本体２は、周縁を折り曲げることで形成された挿入部６を有する第一表層材としての第一パネル材７と、挿入部６に嵌め込まれ、絶縁性の接合部材８によって第一パネル材７と接合される第二表層材としての第二パネル材９とを備えている（図２）。第一パネル材７は電場形成パネル１のうら面を構成し、第二パネル材９は電場形成パネル１のおもて面を構成する。
そして、第一パネル材７と第二パネル材９は、挿入部６を貫通し、所定の間隔で設けられた複数の接合部材８によって接合されている。この接合部材８には、貫通孔８Ａが形成されており、この貫通孔８Ａには絶縁性のリベット材が通される。
【００１６】
［平面電極３］
平面電極３には、メッシュ状の導電性金属材を使用される。本実施形態の平面電極３は、矩形状のメッシュ数が４０メッシュのステンレスネットを使用する。
平面電極３の形状は、矩形状に限定されず、例えば、丸形状、丸形ドーナツ状、矩形ドーナツ状とすることができる。平面電極３のメッシュ数は、３０メッシュから５０メッシュの範囲が好ましい。
平面電極３は、メッシュ状であるため、柔軟性を有している。平面電極３のサイズは、例えば、１ｍ×２ｍとし、電場形成パネル１を取り付ける箇所の面積に応じて、適宜変更することができる。
【００１７】
［保護シート４］
保護シート４は、平面電極３と第二パネル材９と間に設けられている。
保護シート４は、その端部が挿入部６に挿入され、第二パネル材９と共に接合部材８で第一パネル材７に固定されている。この保護シート４は、平面電極３が使用されている際、放電や漏電を確実に回避することに加え、接触による電撃を低減するために、熱圧着等により積層して形成されている。この保護シート４を積層する方向は、平面電極３により電場空間が形成される方向、すなわち、電場形成方向Ｘとすることが好ましい。
保護シート４には、プレハブ１０の温度環境を考慮して、水滴、結露に対し、反応しない材質のもの、例えば、布製、ビニール製のものを使用できる。本実施形態の保護シート４には、難燃性テント生地を使用する。
【００１８】
［絶縁材５］
絶縁材５は、絶縁材料、例えば、合成樹脂で形成されており、柔軟性を有している。
本実施形態の絶縁材５には、矩形状であり、高密度ポリウレタン製のものを使用する。
この絶縁材５は、第一パネル材７と平面電極３との間に設けられている。絶縁材５は、平面電極３と接して電場形成方向Ｘとは逆側に設けられる。
絶縁材５は、平面電極３に対応させた同じサイズに設計されている。この絶縁材５のサイズは、平面電極３よりも大きく、あるいは小さくすることもできるが、同じサイズとすることが好ましい。
【００１９】
次に、電場形成パネル１によって形成される電場空間について説明する。
本考案の電場形成パネル１は、特段の電源設備、電源装置を使用せず、商用電源周波数を利用して電場空間を形成する。氷点下以下の温度で水が非凍結状態となる過冷却状態を確実に得られる電場空間の範囲を、以下の電気的理論に基づいて決定している。
【００２０】
電場形成パネル１の第一パネル材７と第二パネル材９を、対向する平面電極と仮定すると、その平面電極間（電場形成パネル１）の静電容量Ｃ（Ｆ）は、下記［式１］の通り表すことができる。
【００２１】
Ｃ＝ε×Ｓ／ｄ  ［式１］
Ｃ：静電容量（Ｆ）
ε：電場空間の誘電率（≒８．８５４×１０−１２  Ｆ／ｍ）
Ｓ：パネルの面積（ｍ２）
ｄ：対向する電極（ケースや筐体）間の距離（ｍ）
【００２２】
電場形成パネル１に蓄えられる電荷Ｑ（Ｃ）は、下記［式２］の通り表すことができる。
【００２３】
Ｑ＝Ｃ×Ｖ  ［式２］
Ｃ：パネルの静電容量（Ｆ）
Ｖ：印加電圧（Ｖ）
（ただし、交流ではＶが時間的に変化する。）
【００２４】
電化Ｑ（Ｃ）から距離ｒ（ｍ）離れた位置の電界強度（電場量）Ｅ（Ｖ／ｍ）は、下記［式３］の通り、表すことができる。
【００２５】
Ｅ＝Ｑ／（４×π×ε×ｒ２）  ［式３］
ε：電場空間の誘電率（≒８．８５４×１０−１２  Ｆ／ｍ）
ｒ：距離（ｍ）
【００２６】
静電容量Ｃであるコンデンサ（電場空間）に流れる交流電流Ｉ（Ａ）は、下記［式４］の通り表すことができる。
【００２７】
Ｉ＝２×π×ｆ×Ｃ×Ｖ  ［式４］
Ｉ：交流電流（Ａ）
ｆ：交流電圧周波数（Ｈｚ）
Ｖ：印加電圧（Ｖ）
【００２８】
上述した電気的理論に基づけば、電場形成パネル１の平面電極３に周波数４８Ｈｚから６２Ｈｚの正弦波で１ｋＶから５ｋＶの電圧を印加したとき、絶縁材５が設けられていない側である電場形成方向Ｘ、かつ表面電極３の表面から３ｍ以内に所定の電界強度を有する電場空間が形成される。
形成された電場空間の電界強度が０．３ｋＶ／ｍから１５ｋＶ／ｍの場合、その電場空間は、一般的なプレハブの冷蔵環境である−５℃から０℃において、水が非凍結状態となる過冷却が生じる状態に調整される。
本実施形態の電場パネル１では、交流印加電圧Ｖ（Ｖ）の大きさの制御や、電場形成パネル１に蓄えられる電荷Ｑ（Ｃ）の制御を行う必要があるが、これらの制御は、公知の制御装置を使用することができる。
【００２９】
［プレハブ１０］
プレハブ１０は、図３に示すように、屋根部１１を有するプレハブ本体１２と、このプレハブ本体１２の内部に設けられた貯蔵室１３と、貯蔵室１３の開口部１４に設けられたドア部１５と、貯蔵室１３の内部に設置された冷蔵（冷凍）装置（図示しない）を備えている。
ドア部１５は、２つの扉から構成され、人が出入りできる大きさに設計されている。貯蔵室１３には、箱詰めされた食品、植物が保管される。
なお、本実施形態において、プレハブ１０とは、プレハブ１０の設置面積が１６５ｍ２以下（５０坪以下）のものを意味する。
【００３０】
電場形成パネル１は、貯蔵室１３を構成する内壁１６に複数設けられる。本実施形態のプレハブ１０では、図４に示すように、１つの内壁１６に３つ並列して設けられている。
電場形成パネル１のサイズや設ける個数は、貯蔵室１３の内部環境が、電場形成パネル１の表面から３ｍ以内に０．３ｋＶ／ｍから１５ｋＶ／ｍの電界強度となるように適宜変更できる。
【００３１】
次に、本実施形態に係る電場形成パネル１及びプレハブ１０の作用効果について説明する。
平面電極３に電圧が印加されると、プレハブ１０（貯蔵室１３）に取り付けられた電場形成パネル１は、電場空間の電界強度が０．３ｋＶ／ｍから１５ｋＶ／ｍに調整される。そうすると、貯蔵室１３の内部における電場空間は、一般的なプレハブの冷蔵環境である−５℃から０℃において、水が非凍結状態となる過冷却が生じる状態に調整される。
水が非凍結状態となる過冷却が生じる状態に調整されると、貯蔵室１３に貯蔵される肉・魚、野菜、果物、飲料物等の食品の鮮度が劣化することや腐敗することを防止される。
したがって、本実施形態に係る電場形成パネル１をプレハブ１０の貯蔵室１３の内壁１６に設け、貯蔵室１３の内部を所定条件の環境にすることで、食品の鮮度劣化や腐敗を防止できる。
【００３２】
また、第一パネル材７、第二パネル材９、絶縁材５、平面電極３は、いずれも柔軟性を有するため、本実施形態の電場形成パネル１自体が、柔軟性を有する。
そのため、貯蔵室１３において、電場形成パネル１を取り付けづらい箇所でも、電場形成パネル１に力を加え一旦湾曲させて、所望の位置に配置し、加えた力を解除することで元の電場形成パネル１の形状に戻し、電場形成パネル１を所望の位置に取り付けることができる。
【００３３】
また、本実施形態の電場形成パネル１は、特段の電源設備や電電装置を必要とせず、商用電源に接続することで、可動させることができる。さらに、特別な絶縁対策をする必要もない。したがって、使用者に対して、特別な取扱いを要求することなく、使用者は電場形成パネル１を簡単に使用できる。
【００３４】
以上、本実施形態について説明したが、これ以外にも、本考案の主旨を逸脱しない限り、上記実施の形態で挙げた構成を取捨選択したり、他の構成に適宜変更することが可能である。
例えば、本実施形態の電場形成パネル１は、第一パネル材７と第二パネル材９とが別体で形成されているが、一体として形成されていてもよい。また、本実施形態の電場形成パネル１は、第二パネル材９を取り除いて、保護シート４を表層材として使用してもよい。
絶縁材５は、平面電極３と第二パネル材９（又は、保護シート４）との間に設けられていてもよい。
【００３５】
また、電場形成パネル１の設ける位置は、内壁１６に限定されず、例えば、貯蔵室１３の天井部やドア部１５に設けることもできる。
【符号の説明】
【００３６】
１      プレハブに使用する電場形成パネル（電場形成パネル）
２      パネル本体
３      平面電極
４      保護シート（表層材）
５      絶縁材
６      挿入部
７      第一パネル材（第一表層材）
８      接合部材
８Ａ    貫通孔
９      第二パネル材（第二表層材）
１０    プレハブ
１１    屋根部
１２    プレハブ本体
１３    貯蔵室
１４    開口部
１５    ドア部
１６    内壁
Ｘ      電場形成方向
【図１】
0003218535.tif 000003
【図２】
0003218535.tif 000004
【図３】
0003218535.tif 000005
【図４】
0003218535.tif 000006